(57)【要約】【課題】テスト打ち時の遊技場の従業員の作業負担を極力抑制可能な遊技媒体自動払出システムを提供する。【解決手段】遊技機に対応して配置される遊技媒体払出装置２の運営モードをテストモードとテストモード以外のモードとに切り替える切替手段９と、遊技媒体払出装置２の運営モードを切り替えるための所定の切替操作に用いられる切替操作手段８と、遊技媒体を払い出すための所定の払出操作に用いられる払出操作手段と、当該払出操作手段を用いた払出操作が行われると、遊技媒体の払出しを要求する払出信号を送出する払出指令手段１２と、前記払出信号を払出指令手段１２から受信すると所定量の遊技媒体の払出しを行う払出手段１０と、を備え、遊技媒体払出装置２がテストモードに切り替えられていることを条件として、払出手段１０は前記払出信号を払出指令手段１２から受信すると所定量の遊技媒体の払出しを行う。【選択図】図１
2010274127.tif 000002
【特許請求の範囲】
【請求項１】
遊技機に対応して配置される遊技媒体払出装置の運営モードをテストモードとテストモード以外のモードとに切り替える切替手段と、
遊技媒体払出装置の運営モードを切り替えるための所定の切替操作に用いられる切替操作手段と、
遊技媒体を払い出すための所定の払出操作に用いられる払出操作手段と、
当該払出操作手段を用いた払出操作が行われると、遊技媒体の払出しを要求する払出信号を送出する払出指令手段と、
前記払出信号を前記払出指令手段から受信すると所定量の遊技媒体の払出しを行う払出手段と、を備え、
前記遊技媒体払出装置がテストモードに切り替えられていることを条件として、前記払出手段は前記払出信号を前記払出指令手段から受信すると所定量の遊技媒体の払出しを行うことを特徴とする、遊技媒体払出システム。
【請求項２】
前記払出手段は、前記遊技媒体払出装置に設けられていることを特徴とする、請求項１に記載の遊技媒体払出システム。
【請求項３】
前記払出手段は、前記遊技機に設けられていることを特徴とする、請求項１に記載の遊技媒体払出システム。
【請求項４】
前記払出操作手段、前記払出指令手段、及び前記切替操作手段は前記管理装置に設けられていることを特徴とする、請求項２又は３に記載の遊技媒体払出システム。
【請求項５】
前記払出操作手段、前記払出指令手段は前記遊技媒体払出装置に設けられ、前記切替操作手段は前記管理装置に設けられていることを特徴とする、請求項２又は３に記載の遊技媒体払出システム。
【請求項６】
前記払出操作手段、前記払出指令手段、及び前記切替操作手段は前記遊技媒体払出装置に設けられていることを特徴とする、請求項２又は３に記載の遊技媒体払出システム。
【請求項７】
前記払出手段の払出す遊技媒体量を予め設定する払出数設定手段を更に備えることを特徴とする、請求項１〜６のいずれかに記載の遊技媒体払出システム。
【請求項８】
前記払出手段の払出す遊技媒体量を、払出しの都度設定可能な払出数設定手段を更に備えることを特徴とする、請求項１〜６のいずれかに記載の遊技媒体払出システム。
【発明の詳細な説明】
【技術分野】
【０００１】
本発明は、遊技機の不具合の確認等のために行われるテスト打ち時に、遊技媒体を自動で払出して遊技機に供給する自動払出システムに関する。
【背景技術】
【０００２】
一般に、遊技機が遊技場に導入されると、まず初めに当該遊技機の不具合の確認等のためにテスト打ちが行われる。このテスト打ちは、遊技者が通常遊技するのに近い環境で、遊技を行うものである。テスト打ちの際には、従来は遊技場の従業員がパチンコ玉等の遊技媒体を遊技機の上皿に投入し、遊技機のハンドルを固定して行っていた。
【０００３】
しかし、この方法では上皿に遊技媒体が不足すると、従業員が遊技媒体を運んできて、上皿に投入する必要があり、従業員の作業負担が大きくなっていた。しかも、一度に遊技場に導入される遊技機は複数であることが通常であるため、例えば、新規開店時のようにテスト打ちを行う遊技機の数が多いとテスト打ちの作業負担は膨大となる。このような作業負担を軽減するため、特許文献１に記載されている技術が存在する。これは、受け皿と、この受け皿から流下した遊技媒体を遊技機の上皿へ揚送する揚送装置を設けるものであり、この受け皿を遊技機下部に配置するとともに受け皿に遊技媒体を投入するものであった。
【特許文献１】特開２００６−１７５１７１号公報
【発明の開示】
【発明が解決しようとする課題】
【０００４】
しかしながら、当該装置では始めに従業員が遊技媒体を受け皿に投入する必要があり、更に、受け皿に遊技媒体が不足した場合にも従業員が遊技媒体を受け皿に投入する必要があるものとなっており、依然として従業員の作業負担は大きいままである。また、特許文献１に開示されている装置を各遊技機に設ける場合は、その費用が膨大なものとなる。また、特許文献１に開示されている装置を一回のテスト打ちで複数の遊技機で使い回す場合は、当該装置の移動作業を行う必要が生じ、従業員に新たな作業負担が生じ、作業負担の軽減は十分ではない。
【０００５】
そこで本発明は、上記課題を鑑みて、テスト打ち時の遊技場の従業員の作業負担を極力抑制可能な遊技媒体自動払出システムを提供することを目的とする。
【課題を解決するための手段】
【０００６】
請求項１の発明は、遊技機に対応して配置される遊技媒体払出装置の運営モードをテストモードとテストモード以外のモードとに切り替える切替手段と、
遊技媒体払出装置の運営モードを切り替えるための所定の切替操作に用いられる切替操作手段と、
遊技媒体を払い出すための所定の払出操作に用いられる払出操作手段と、
当該払出操作手段を用いた払出操作が行われると、遊技媒体の払出しを要求する払出信号を送出する払出指令手段と、
前記払出信号を前記払出指令手段から受信すると所定量の遊技媒体の払出しを行う払出手段と、を備え、
前記遊技媒体払出装置がテストモードに切り替えられていることを条件として、前記払出手段は前記払出信号を前記払出指令手段から受信すると所定量の遊技媒体の払出しを行う、遊技媒体払出システムとした。
【０００７】
請求項２の発明は、前記払出手段は、前記遊技媒体払出装置に設けられている、請求項１に記載の遊技媒体払出システムとした。
【０００８】
請求項３の発明は、前記払出手段は、前記遊技機に設けられている、請求項１に記載の遊技媒体払出システムとした。
【０００９】
請求項４の発明は、前記払出操作手段、前記払出指令手段、及び前記切替操作手段は前記管理装置に設けられている、請求項２又は３に記載の遊技媒体払出システムとした。
【００１０】
請求項５の発明は、前記払出操作手段、前記払出指令手段は前記遊技媒体払出装置に設けられ、前記切替操作手段は前記管理装置に設けられている、請求項２又は３に記載の遊技媒体払出システムとした。請求項６の発明は、前記払出操作手段、前記払出指令手段、及び前記切替操作手段は前記遊技媒体払出装置に設けられている、請求項２又は３に記載の遊技媒体払出システムとした。請求項７の発明は、前記払出手段の払出す遊技媒体量を予め設定する払出数設定手段を更に備える、請求項１〜６のいずれかに記載の遊技媒体払出システムとした。
【００１１】
請求項８の発明は、前記払出手段の払出す遊技媒体量を、払出しの都度設定可能な払出数設定手段を更に備える、請求項１〜６のいずれかに記載の遊技媒体払出システムとした。
【発明の効果】
【００１２】
請求項１〜８の発明によれば、払出操作手段を操作すると、遊技媒体の払出しが行われる構成になっているため、テスト打ち時の遊技場の従業員がパチンコ玉等の遊技媒体を遊技機の上皿に投入する作業負担を抑制することができる。
【００１３】
請求項７の発明によれば、払い出す遊技媒体の量を予め設定できる構成とすることにより、より正確に払い出す遊技媒体の量を調整することができ、便宜である。
【００１４】
請求項８の発明によれば、払出手段の払出す遊技媒体量を、払出しの都度設定可能な構成とすることにより、遊技場の従業員が、遊技機の上皿にある遊技媒体の量に合わせて補填する遊技媒体の量を調整することができ、便宜である。
【発明を実施するための最良の形態】
【００１５】
遊技機に対応して配置される遊技媒体払出装置の運営モードをテストモードとテストモード以外のモードとに切り替える切替手段と、遊技媒体払出装置の運営モードを切り替えるための所定の切替操作に用いられる切替操作手段と、遊技媒体を払い出すための所定の払出操作に用いられる払出操作手段と、当該払出操作手段を用いた払出操作が行われると、遊技媒体の払出しを要求する払出信号を送出する払出指令手段と、前記払出信号を前記払出指令手段から受信すると所定量の遊技媒体の払出しを行う払出手段と、を備え、前記遊技媒体払出装置がテストモードに切り替えられていることを条件として、前記払出手段は前記払出信号を前記払出指令手段から受信すると所定量の遊技媒体の払出しを行う構成とすることにより、テスト打ち時の遊技場の従業員がパチンコ玉等の遊技媒体を遊技機の上皿に投入する作業負担を抑制することができる。
【実施例１】
【００１６】
図１は、遊技媒体自動払出システムAを示す概念図である。遊技媒体自動払出システムＡは、従業員用記録媒体１と遊技媒体払出装置２と管理装置３から構成されており、遊技媒体払出装置２と管理装置３は、通信回線を通じて接続されて、情報及び信号の送受信が可能である。従業員用記録媒体１は、内部に情報を書込み、また内部に記録された情報を読出すことのできる媒体であればよく、例えば、集積回路を組み込んだ会員用IDカード、ICコイン等である。特に、従業員用記録媒体１は、当該従業員用記録媒体１に割り振られた固有の識別情報を記録する識別情報記録手段４を有している。なお、本実施例では従業員用記録媒体１に割り振られた固有の識別情報を用いているが、これに限定されるものではなく、各従業員用記録媒体１を識別できるものであれば何を用いても良い。
【００１７】
遊技媒体払出装置２は、図２に示すように遊技機５に対応して設けられている台間機であり、パチンコ玉（遊技媒体）の払出し機である。遊技媒体払出装置２は特に、読取手段６、払出ボタン７、切替操作手段８、切替手段９、払出手段１０、表示手段１１、払出指令手段１２を備えている。
【００１８】
読取手段６は、従業員用記録媒体１と有線又は無線通信を行い、従業員用記録媒体１の識別情報記録手段４に記録されている識別情報を読み取る。切替操作手段８は、ボタンやレバー等、遊技場の従業員が遊技媒体払出装置２の外部から操作できるものである。切替手段９は、遊技場の従業者による、ボタンの押下等の切替操作手段８に対する操作と、後述する従業員用記録媒体１の認証の成功を条件として、遊技媒体払出装置２の運営モードをテストモードとテストモード以外のモードに切り替える。払出手段１０は、払出指令手段１２から払出信号を受信すると所定量の遊技媒体を払い出して、遊技機４に供給する制御機構である。表示手段１１は、各種の情報、例えば遊技に関する情報や遊技機５の稼働情報を表示したり、本発明の遊技媒体自動払出システムAを制御するコマンドやそれに対する応答出力等を表示したりする、CRT、液晶ディスプレイ、プラズマディスプレイ、モニタ等である。
【００１９】
払出指令手段１２は、払出操作手段が遊技場の従業者等の払出操作を受け付けると、遊技媒体の払い出しを要求する払出信号を、払出手段１０に送出する。なお、払出操作手段とは、従業員用記録媒体１、読取手段６、払出ボタン７、識別情報記憶手段１４、認証手段１５を指し、払出操作手段による払出操作とは、従業員用記録媒体１と読取手段６間で通信を行わせ、従業員用記録媒体１に記録されている識別情報と、識別情報記憶手段１４に記憶されている識別情報とを認証手段１５に比較させて、一致するか否かの認証を行わせること、及び払出ボタン７の押下を指す。
【００２０】
管理装置３は、プログラム制御により動作するコンピュータであり、管理装置３は特に、識別情報記憶手段１４、認証手段１５を備えている。識別情報記憶手段１４は、例えば、大容量メモリーとして機能するハードディスク(HD)を用いることができ、遊技場の従業員の所持する従業員用記録媒体１の各識別情報を記憶している。
【００２１】
また記録媒体(メディア)へのアクセスを実現するための外部記憶ドライブを識別情報記憶手段１４に備えれば、記録媒体に記録されたプログラム等を管理装置３のシステムにロードすることができる。記録媒体には、フレキシブルディスク(FD)、CD-ROM、CD-R、CD-RW、PCカード、DVD、ICメモリーカード、MO、メモリースティック等が含まれる。
【００２２】
認証手段１５は、例えば、CPU(Central Processing Unit)により構成することができ、識別情報記憶手段１４に記憶されている識別情報を呼び出して、遊技媒体払出装置２の読取手段６が読み取った従業員用記録媒体１の識別情報と比較し、一致するか否かの認証を行う。
【００２３】
次に、遊技媒体自動払出システムAの具体的な処理の流れを、図３〜５を用いて説明する。図３に示すように、遊技場の従業員が遊技媒体払出装置２の切替操作手段８を操作すると（ステップＳ１０１）、切替操作信号を受け付け（ステップＳ１０２）、読取手段６に従業員用記録媒体１をかざすよう促す報知が表示手段１１への表示或いは音声等によりなされる。そして、遊技場の従業員が従業員用記録媒体１を読取手段６に翳す等して（ステップＳ１０３）、従業員用記録媒体１と読取手段６間で通信を行わせると、読取手段６は、従業員用記録媒体１の識別情報記録手段４に記録されている識別情報を読み取って（ステップＳ１０４）、管理装置３の認証手段１５に送信する。識別情報を受信した認証手段１５は、識別情報記憶手段１４に記憶されている従業員の各識別情報を呼び出して、当該識別情報と比較し、一致するか否かの認証を行う（ステップＳ１０５）。認証が成功した場合には、認証成功信号を切替手段９に送信する。一方、認証が失敗した場合には、エラー信号を遊技媒体払出装置２に送信し、エラー信号を受信した遊技媒体払出装置２の表示手段１１は、認証が失敗した旨を表示する。なお、この切替操作手段８による切替操作と、従業員用記録媒体１を用いた認証とを一定時間以内に行わせるようにしても良い。
【００２４】
認証成功信号を受信した切替手段９は、遊技媒体払出装置２の運営モードをテストモードに切り替え、その旨を表示手段１１に表示する（ステップＳ１０６）。なお、本実施例では、切替操作手段８の切替操作の次に、認証手段１５による認証を行う順番になっているが、この構成に限らず、認証手段１５による認証が成功した後に、切替操作手段８に対して切替操作を行う構成としてもよい。また、切替操作手段８の操作中に認証手段１５による認証を行わせる構成としても良い。例えば、切替操作手段８をボタンで構成している場合、このボタンが押下されている間に従業員用記録媒体１を読取手段６に翳す、などである。さらに、従業員用記録媒体１を読取手段６に翳しながら切替操作手段８の切替操作を受け付ける構成としても良い。この場合、従業員用記録媒体１と読取手段６とが交信されている状態で、切替操作手段８による切替操作がなされた場合に、切替手段９が動作するよう構成する。
【００２５】
このテストモードの状態で、払出操作手段の払出操作を行うと、払出指令手段１２が払出信号を払出手段１０に送信し、払出手段１０は遊技媒体の払出しを行う。以下、具体的に説明する。図４に示すように、遊技媒体払出装置２の運営モードがテストモードの状態で、遊技場の従業員が、払出ボタン７を押し下げると（ステップＳ２０１）、払出操作信号を受け付け（ステップＳ２０２）、読取手段６に従業員用記録媒体１をかざすよう促す報知が表示手段１１への表示或いは音声等によりなされる。そして、遊技場の従業員が従業員用記録媒体１を読取手段６に翳す等して（ステップＳ２０３）、従業員用記録媒体１と読取手段６との間で通信を行わせると、読取手段６は、従業員用記録媒体１の識別情報記録手段４に記録されている識別情報を読み取って（ステップＳ２０４）、管理装置３の認証手段１５に送信する。識別情報を受信した認証手段１５は、識別情報記憶手段１４に記憶されている従業員の各識別情報を呼び出して、当該識別情報と比較し、一致するか否かの認証を行う（ステップＳ２０５）。この認証に成功した場合は、認証成功信号を遊技媒体払出装置２の払出指令手段１２に送信する。一方、認証に失敗した場合は、エラー信号を遊技媒体払出装置２に送信し（ステップＳ２０６）、エラー信号を受信した遊技媒体払出装置２の表示手段１１は、認証が失敗した旨を表示する。なお、この払出操作手段による払出操作と、従業員用記録媒体１を用いた認証とを一定時間以内に行わせるようにしても良い。
【００２６】
認証成功信号を受信した払出指令手段１２は、払出信号を払出手段１０に送信する。払出信号を受信した払出手段１０は、遊技媒体を払出して、遊技機５に供給する（ステップＳ２０７）。なお、本実施例では、払出ボタン７の押下げの次に、認証手段１５による認証を行う順番になっているが、この構成に限らず、認証手段１５による認証が成功した後に、払出ボタン７を押下げる構成としてもよい。また、払出ボタン７を押下げながら認証手段１５による認証を行わせるように構成しても良い。さらに、従業員用記録媒体１を読取手段６に翳しながら払出ボタン７を押下させる構成としても良い。この場合、従業員用記録媒体１と読取手段６とが交信されている状態で、払出ボタン７が押下された場合に、払出手段１０が動作するよう構成する。
【００２７】
また、遊技機５の上皿２４に払い出された遊技媒体を遊技機５内に投入するため、遊技機５に備えているハンドル２８を所定位置に固定する。このようにハンドル２８を固定することにより、上皿２４から遊技機５内に導入された遊技媒体を自動的に遊技機５に投入することができるため、遊技場の従業員は、係るハンドル２８の固定作業を行うだけでよく、従業員の作業負担が軽減される。
【００２８】
遊技媒体自動払出システムＡの遊技媒体の払出を終了する場合には、遊技媒体払出装置２の運営モードをテストモードからテストモード以外のモード、例えば通常モードに切り替える。具体的な流れは、テストモードへの切替と同様である。図５に示すように、遊技場の従業員が遊技媒体払出装置２の切替操作手段８を操作し（ステップＳ３０１）、又従業員用記録媒体１を読取手段６に翳す等して（ステップＳ３０３）、従業員用記録媒体１と読取手段６間で通信を行わせ、認証手段１５に認証を行わせる（ステップＳ３０５）。その結果、認証成功信号を受信した切替手段９は、遊技媒体払出装置２の運営モードをテストモード以外のモードに切り替え、その旨を表示手段１１に表示する（ステップＳ３０６）。
【００２９】
なお、払出の終了方法としては、上述の方法の他に、例えば遊技媒体払出装置２に設けられている取消ボタン（図示省略）等の所定のボタンの操作や、このボタン操作と従業員用記録媒体１との組み合わせにより行うこととしても良い。すなわち、払出の終了とテストモードから他のモードへの切り替えを別個の操作により行うこととしても良い。また、テストモードから通常モードへの切替方法は一例であり、テストモードから他のモードに切り替えられれば、その方法は問わないものである。
【００３０】
上述したように、遊技媒体自動払出システムＡを構成することによって、テスト打ちの際に、遊技場の従業員が遊技機に遊技媒体を投入する作業負担を抑制することができる。また、遊技場の従業員は、遊技媒体払出装置２の運営モードの切替及び遊技媒体の払出しの際のいずれの場合においても、遊技媒体払出装置２に対してのみ操作を行えば良いため、操作を一元化でき、便宜である。
【実施例２】
【００３１】
図６は、遊技媒体自動払出システムＢを示す概念図である。遊技媒体自動払出システムＢは、従業員用記録媒体１と遊技媒体払出装置２と管理装置３から構成されており、遊技媒体払出装置２と管理装置３は、通信回線を通じて接続されて、情報及び信号の送受信が可能である。遊技媒体払出装置２は特に、切替手段９、払出手段１０を備えている。また管理装置３は特に、読取手段６、払出ボタン７、切替操作手段８、表示手段１１、払出指令手段１２、識別情報記憶手段１４、認証手段１５、モード制御手段２９を備えている。モード制御手段２９は、例えば、CPU(Central Processing Unit)により構成することができ、認証手段１５から切替操作に基づく認証に成功した旨の認証成功信号を受信したとき、遊技媒体払出装置２の運営モードを切り替えるために管理装置３側から切替手段９に対して指令を行うものである。
【００３２】
次に、遊技媒体自動払出システムＢの具体的な処理の流れを、図７〜図９を用いて説明する。図７に示すように、遊技場の従業員が管理装置３の切替操作手段８を操作すると（ステップＳ４０１）、切替操作信号を受け付け（ステップＳ４０２）、読取手段６に従業員用記録媒体１をかざすよう促す報知が表示手段１１への表示或いは音声等によりなされる。そして、遊技場の従業員が従業員用記録媒体１を管理装置３の読取手段６に翳す等して（ステップＳ４０３）、従業員用記録媒体１と読取手段６間で通信を行わせると、読取手段６は、従業員用記録媒体１の識別情報記録手段４に記録されている識別情報を読み取って（ステップＳ４０４）、認証手段１５に送信する。識別情報を受信した認証手段１５は、識別情報記憶手段１４に記憶されている従業員の各識別情報を呼び出して、当該識別情報と比較し、一致するか否かの認証を行う（ステップＳ４０５）。認証が成功した場合には、切替操作に基づく認証に成功した旨の認証成功信号をモード制御手段２９に送信する。モード制御手段２９は、切替操作で指定されたモード（テストモード）への切替を指令するモード切替信号を遊技媒体払出装置２の切替手段９に送信する。切替手段９は遊技媒体払出装置２の運営モードをテストモードに切り替えると（ステップＳ４０６）、切替完了信号を管理装置３に送信する。また、表示手段１１は遊技媒体払出装置２の運営モードがテストモードに切り替わった旨を表示する（ステップＳ４０７）。一方、認証に失敗した場合は、表示手段１１は、認証に失敗した旨を表示する（ステップＳ４０８）。なお、この切替操作手段８による切替操作と、従業員用記録媒体１を用いた認証とを一定時間以内に行わせるようにしても良い。
【００３３】
なお、本実施例では、切替操作手段８の切替操作の次に、認証手段１５による認証を行う順番になっているが、この構成に限らず、認証手段１５による認証が成功した後に、切替操作手段８に対して切替操作を行う構成としてもよい。また、切替操作手段８の操作中に認証手段１５による認証を行わせる構成としても良い。例えば、切替操作手段８をボタンで構成している場合、このボタンが押下されている間に従業員用記録媒体１を読取手段６に翳す、などである。さらに、従業員用記録媒体１を読取手段６に翳しながら切替操作手段８の切替操作を受け付ける構成としても良い。この場合、従業員用記録媒体１と読取手段６とが交信されている状態で、切替操作手段８による切替操作がなされた場合に、切替手段９が動作するよう構成する。
【００３４】
このテストモードの状態で払出操作手段の払出操作を行うと、払出指令手段１２が払出信号を遊技媒体払出装置２の払出手段１０に送信し、払出手段１０は遊技媒体の払出しを行う。以下、具体的に説明する。図８に示すように、遊技媒体払出装置２の運営モードがテストモードの状態で、遊技場の従業員が、管理装置３の払出ボタン７を押し下げると（ステップＳ５０１）、払出操作信号を受け付け（ステップＳ５０２）、読取手段６に従業員用記録媒体１を翳すよう促す報知が表示手段１１への表示或いは音声等によりなされる。そして、遊技場の従業員が従業員用記録媒体１を管理装置３の読取手段６に翳す等して（ステップＳ５０３）、従業員用記録媒体１と読取手段６との間で通信を行わせると、読取手段６は、従業員用記録媒体１の識別情報記録手段４に記録されている識別情報を読み取って（ステップＳ５０４）、認証手段１５に送信する。識別情報を受信した認証手段１５は、識別情報記憶手段１４に記憶されている従業員の各識別情報を呼び出して、当該識別情報と比較し、一致するか否かの認証を行う（ステップＳ５０５）。認証が成功した場合には、払出操作に基づく認証に成功した旨の認証成功信号を払出指令手段１２に送信する。一方、認証に失敗した場合は、表示手段１１は、認証に失敗した旨を表示する（ステップＳ５０６）。なお、この払出操作手段による払出操作と、従業員用記録媒体１を用いた認証とを一定時間以内に行わせるようにしても良い。
【００３５】
認証成功信号を受信した払出指令手段１２は、払出信号を遊技媒体払出装置２の払出手段１０に送信する（ステップＳ５０７）。払出信号を受信した払出手段１０は、遊技媒体を払出して、遊技機５に供給する（ステップＳ５０８）。なお、本実施例では、払出ボタン７の押下げの次に、認証手段１５による認証を行う順番になっているが、この構成に限らず、認証手段１５による認証が成功した後に、払出ボタン７を押下げる構成としてもよい。また、払出ボタン７を押し下げながら認証手段１５による認証を行わせるように構成しても良い。さらに、従業員用記録媒体１を読取手段６に翳しながら払出ボタン７を押下させる構成としても良い。この場合、従業員用記録媒体１と読取手段６とが交信されている状態で、払出ボタン７が押下された場合に、払出手段１０が動作するよう構成する。
【００３６】
遊技媒体自動払出システムＢの遊技媒体の自動払出を終了する場合には、遊技媒体払出装置２の運営モードをテストモードからテストモード以外のモード、例えば通常モードに切り替える。具体的な流れは、テストモードへの切替と同様である。図９に示すように、遊技場の従業員が管理装置３の切替操作手段８を操作し（ステップＳ６０１）、又従業員用記録媒体１を読取手段６に翳す等して（ステップＳ６０３）、従業員用記録媒体１と読取手段６間で通信を行わせ、認証手段１５に認証を行わせる（ステップＳ６０５）。その結果、切替操作に基づく認証に成功した旨の認証成功信号を受信したモード制御手段２９は、切替操作で指定されたモード（例えば通常モード）への切替を指令するモード切替信号を遊技媒体払出装置２の切替手段９に送信する。そして切替手段９は、遊技媒体払出装置２の運営モードを通常モードに切り替え（ステップＳ６０６）、切替が完了すると切替完了信号を管理装置３に送信する。この切替完了信号を受信すると、表示手段１１は遊技媒体払出装置２の運営モードが通常モードに切り替わった旨を表示する（ステップＳ６０７）。
【００３７】
なお、払出の終了方法としては、上述の方法の他に、例えば遊技媒体払出装置２に設けられている取消ボタン（図示省略）等の所定のボタンの操作や、このボタン操作と従業員用記録媒体１との組み合わせにより行うこととしても良い。すなわち、払出の終了とテストモードから他のモードへの切り替えを別個の操作により行うこととしても良い。また、テストモードから通常モードへの切替方法は一例であり、テストモードから他のモードに切り替えられれば、その方法は問わないものである。
【００３８】
上述したように、遊技媒体自動払出システムＢを構成することによって、遊技場の従業員は、遊技媒体払出装置２の運営モードの切替及び遊技媒体の払出しの際のいずれの場合においても、管理装置３に対してのみ操作を行えば良いため、操作を一元化でき、便宜である。
【００３９】
なお、本実施例におけるその他の構成及び作用は実施例１と同様であるため、説明を省略する。
【実施例３】
【００４０】
図１０は、遊技媒体自動払出システムＣを示す概念図である。遊技媒体自動払出システムＣは、従業員用記録媒体１と遊技媒体払出装置２と管理装置３から構成されており、遊技媒体払出装置２と管理装置３は、通信回線を通じて接続されて、情報及び信号の送受信が可能である。遊技媒体払出装置２は特に、払出ボタン７、切替手段９、払出手段１０、払出指令手段１２、読取手段１６、表示手段３２、を備えている。また管理装置３は特に、読取手段６、切替操作手段８、表示手段１１、識別情報記憶手段１４、認証手段１５、モード制御手段２９を備えている。
【００４１】
読取手段１６は、従業員用記録媒体１と有線又は無線通信を行い、従業員用記録媒体１の識別情報記録手段４に記録されている識別情報を読み取る。また、表示手段３２は、各種の情報、例えば遊技に関する情報や遊技機５の稼働情報を表示したり、本発明の遊技媒体自動払出システムＣを制御するコマンドやそれに対する応答出力等を表示したりする、CRT、液晶ディスプレイ、プラズマディスプレイ、モニタ等である。
【００４２】
次に、遊技媒体自動払出システムＣの具体的な処理の流れを、図７、図９、図１１を用いて説明する。図７に示すように、遊技場の従業員が管理装置３の切替操作手段８を操作すると（ステップＳ４０１）、切替操作信号を受け付け（ステップＳ４０２）、読取手段６に従業員用記録媒体１をかざすよう促す報知が表示手段１１への表示或いは音声等によりなされる。そして、遊技場の従業員が従業員用記録媒体１を管理装置３の読取手段６に翳す等して（ステップＳ４０３）、従業員用記録媒体１と読取手段６間で通信を行わせると、読取手段６は、従業員用記録媒体１の識別情報記録手段４に記録されている識別情報を読み取って、認証手段１５に送信する（ステップＳ４０４）。識別情報を受信した認証手段１５は、識別情報記憶手段１４に記憶されている従業員の各識別情報を呼び出して、当該識別情報と比較し、一致するか否かの認証を行う（ステップＳ４０５）。認証に成功した場合には、切替操作に基づく認証に成功した旨の認証成功信号をモード制御手段２９に送信する。モード制御手段２９は、切替操作で指定されたモード（テストモード）への切替を指令するモード切替信号を遊技媒体払出装置２の切替手段９に送信する。切替手段９は遊技媒体払出装置２の運営モードをテストモードに切り替えると（ステップＳ４０６）、切替完了信号を管理装置３に送信する。この切替完了信号を受信すると、表示手段１１は遊技媒体払出装置２の運営モードがテストモードに切り替わった旨を表示する（ステップＳ４０７）。一方、認証に失敗した場合には、表示手段１１は、認証が失敗した旨を表示する（ステップＳ４０８）。なお、この切替操作手段８による切替操作と、従業員用記録媒体１を用いた認証とを一定時間以内に行わせるようにしても良い。
【００４３】
なお、本実施例では、切替操作手段８の切替操作の次に、認証手段１５による認証を行う順番になっているが、この構成に限らず、認証手段１５による認証が成功した後に、切替操作手段８に対して切替操作を行う構成としてもよい。また、切替操作手段８の操作中に認証手段１５による認証を行わせる構成としても良い。例えば、切替操作手段８をボタンで構成している場合、このボタンが押下されている間に従業員用記録媒体１を読取手段６に翳す、などである。さらに、従業員用記録媒体１を読取手段６に翳しながら切替操作手段８の切替操作を受け付ける構成としても良い。この場合、従業員用記録媒体１と読取手段６とが交信されている状態で、切替操作手段８による切替操作がなされた場合に、切替手段９が動作するよう構成する。
【００４４】
このテストモードの状態で、払出操作手段の払出操作を行うと、払出指令手段１２が払出信号を払出手段１０に送信し、払出手段１０は遊技媒体の払出しを行う。以下、具体的に説明する。図１１に示すように、遊技媒体払出装置２の運営モードがテストモードの状態で、遊技場の従業員が、遊技媒体払出装置２の払出ボタン７を押し下げると（ステップＳ７０１）、払出操作信号を受け付け（ステップＳ７０２）、読取手段１６に従業員用記録媒体１をかざすよう促す報知が表示手段３２への表示或いは音声等によりなされる。そして、遊技場の従業員が従業員用記録媒体１を遊技媒体払出装置２の読取手段１６に翳す等して（ステップＳ７０３）、従業員用記録媒体１と読取手段１６間で通信を行わせると、読取手段１６は、従業員用記録媒体１の識別情報記録手段４に記録されている識別情報を読み取って、管理装置３の認証手段１５に送信する（ステップＳ７０４）。識別情報を受信した認証手段１５は、識別情報記憶手段１４に記憶されている従業員の各識別情報を呼び出して、当該識別情報と比較し、一致するか否かの認証を行う（ステップＳ７０５）。認証に成功した場合には、認証成功信号を払出指令手段１２に送信する。一方、認証に失敗した場合は、遊技媒体払出装置２の表示手段３２は、認証に失敗した旨を表示する。なお、この払出操作手段による払出操作と、従業員用記録媒体１を用いた認証とを一定時間以内に行わせるようにしても良い。
【００４５】
認証成功信号を受信した払出指令手段１２は、払出信号を払出手段１０に送信する。払出信号を受信した払出手段１０は、遊技媒体を払出して、遊技機５に供給する（ステップＳ７０６）。なお、本実施例では、払出ボタン７の押下げの次に、認証手段１５による認証を行う順番になっているが、この構成に限らず、認証手段１５による認証が成功した後に、払出ボタン７を押下げる構成としてよい。また、払出ボタン７を押下げながら認証手段１５による認証を行わせるように構成しても良い。さらに、従業員用記録媒体１を読取手段１６に翳しながら払出ボタン７を押下させる構成としても良い。この場合、従業員用記録媒体１と読取手段６とが交信されている状態で、払出ボタン７が押下された場合に、払出手段１０が動作するよう構成する。
【００４６】
遊技媒体自動払出システムＣの遊技媒体の払出を終了する場合には、遊技媒体払出装置２の運営モードをテストモードからテストモード以外のモード、例えば通常モードに切り替える。具体的な流れは、テストモードへの切替と同様である。図９に示すように、遊技場の従業員が管理装置３の切替操作手段８を操作し（ステップＳ６０１）、又従業員用記録媒体１を読取手段６に翳す等して（ステップＳ６０３）、従業員用記録媒体１と読取手段６間で通信を行わせ、認証手段１５に認証を行わせる（ステップＳ６０５）。その結果、切替操作に基づく認証に成功した旨の認証成功信号をモード制御手段２９に送信する。この認証成功信号を受信したモード制御手段２９は、切替操作で指定されたモード（例えば通常モード）への切替を指令するモード切替信号を遊技媒体払出装置２の切替手段９に送信する。そして切替手段９は、遊技媒体払出装置２の運営モードを通常モードに切り替え（ステップＳ６０６）、切替が完了すると切替完了信号を管理装置３に送信する。この切替完了信号を受信すると、表示手段１１は遊技媒体払出装置２の運営モードが通常モードに切り替わった旨を表示する（ステップＳ６０７）。
【００４７】
なお、払出の終了方法としては、上述の方法の他に、例えば遊技媒体払出装置２に設けられている取消ボタン（図示省略）等の所定のボタンの操作や、このボタン操作と従業員用記録媒体１との組み合わせにより行うこととしても良い。すなわち、払出の終了とテストモードから他のモードへの切り替えを別個の操作により行うこととしても良い。また、テストモードから通常モードへの切替方法は一例であり、テストモードから他のモードに切り替えられれば、その方法は問わないものである。
【００４８】
なお、本実施例におけるその他の構成及び作用は実施例１と同様であるため、説明を省略する。また、本実施例で詳述していない各構成手段の内容は上記実施例１、２と同様であるので、説明を省略する。
【実施例４】
【００４９】
図１２は、遊技媒体自動払出システムＤを示す概念図である。遊技媒体自動払出システムＤは、従業員用記録媒体１と遊技媒体払出装置２と管理装置３から構成されており、遊技媒体払出装置２と管理装置３は、通信回線を通じて接続されて、情報及び信号の送受信が可能である。遊技媒体払出装置２は特に、読取手段６、払出ボタン７、切替操作手段８、切替手段９、払出手段１０、表示手段１１、払出指令手段１２、払出数設定手段１７を備えている。
【００５０】
払出数設定手段１７は、遊技媒体の払出数を入力可能なキーボードやポインティングデバイス(マウス)、タッチパネル等に代表されるユーザインターフェイスと、入力した遊技媒体の払出数を確認可能なCRT、液晶ディスプレイ、プラズマディスプレイ、モニタ等の表示器とから構成されている。遊技場の従業員は、この払出数設定手段１７を用いて遊技媒体の払出数を設定すれば、払出操作手段の操作により払出手段１０の払出す遊技媒体の量を自由に設定することができる。
【００５１】
管理装置３は、プログラム制御により動作するコンピュータであり、管理装置３は特に、識別情報記憶手段１４、認証手段１５を備えている。
【００５２】
次に、遊技媒体自動払出システムＤの具体的な処理の流れを、図３、図５、図１３を用いて説明する。図３に示すように、遊技場の従業員が遊技媒体払出装置２の切替操作手段８を操作すると（ステップＳ１０１）、切替操作信号を受け付け（ステップＳ１０２）、読取手段６に従業員用記録媒体１をかざすよう促す報知が表示手段１１への表示或いは音声等によりなされる。そして、遊技場の従業員が従業員用記録媒体１を読取手段６に翳す等して（ステップＳ１０３）、従業員用記録媒体１と読取手段６との間で通信を行わせると、読取手段６は、従業員用記録媒体１の識別情報記録手段４に記録されている識別情報を読み取って、管理装置３の認証手段１５に送信する（ステップＳ１０４）。識別情報を受信した認証手段１５は、識別情報記憶手段１４に記憶されている従業員の各識別情報を呼び出して、当該識別情報と比較し、一致するか否かの認証を行う（ステップＳ１０５）。認証が成功した場合には、認証成功信号を切替手段９に送信する。一方、認証が失敗した場合には、エラー信号を遊技媒体払出装置２に送信し、エラー信号を受信した遊技媒体払出装置２の表示手段１１は、認証が失敗した旨を表示する。なお、この切替操作手段８による切替操作と、従業員用記録媒体１を用いた認証とを一定時間以内に行わせるようにしても良い。
【００５３】
認証成功信号を受信した切替手段９は、遊技媒体払出装置２の運営モードをテストモードに切り替え（ステップＳ１０６）、その旨を表示手段１１に表示する。なお、本実施例では、切替操作手段８の切替操作の次に、認証手段１５による認証を行う順番になっているが、この構成に限らず、認証手段１５による認証が成功した後に、切替操作手段８に対して切替操作を行う構成としてもよい。また、切替操作手段８の操作中に認証手段１５による認証を行わせる構成としても良い。例えば、切替操作手段８をボタンで構成している場合、このボタンが押下されている間に従業員用記録媒体１を読取手段６に翳す、などである。さらに、従業員用記録媒体１を読取手段６に翳しながら切替操作手段８の切替操作を受け付ける構成としても良い。この場合、従業員用記録媒体１と読取手段６とが交信されている状態で、切替操作手段８による切替操作がなされた場合に、切替手段９が動作するよう構成する。
【００５４】
このテストモードの状態で、払出操作手段の払出操作を行うと、払出指令手段１２が払出信号を払出手段１０に送信し、払出手段１０は遊技媒体の払出しを行う。以下、具体的に説明する。図１３に示すように、遊技媒体払出装置２の運営モードがテストモードの状態で、遊技場の従業員が、払出ボタン７を押し下げると（ステップＳ８０１）、払出操作信号を受け付け（ステップＳ８０２）、読取手段６に従業員用記録媒体１をかざすよう促す報知が表示手段１１への表示或いは音声等によりなされる。そして、遊技場の従業員が従業員用記録媒体１を読取手段６に翳す等して（ステップＳ８０３）、従業員用記録媒体１と読取手段６との間で通信を行わせると、読取手段６は、従業員用記録媒体１の識別情報記録手段４に記録されている識別情報を読み取って、管理装置３の認証手段１５に送信する（ステップＳ８０４）。識別情報を受信した認証手段１５は、識別情報記憶手段１４に記憶されている従業員の各識別情報を呼び出して、当該識別情報と比較し、一致するか否かの認証を行う（ステップＳ８０５）。この認証に成功した場合は、認証成功信号を払出指令手段１２に送信する。一方、認証に失敗した場合は、エラー信号を遊技媒体払出装置２に送信し（ステップＳ８０６）、エラー信号を受信した遊技媒体払出装置２の表示手段１１は、認証が失敗した旨を表示する。なお、この払出操作手段による払出操作と、従業員用記録媒体１を用いた認証とを一定時間以内に行わせるようにしても良い。
【００５５】
認証成功信号を受信した払出指令手段１２は、払出信号を払出手段１０に送信する。払出信号を受信した払出手段１０は、所定量の遊技媒体を払出して、遊技機５に供給する（ステップＳ８０７）。または、予め払出数設定手段１７の入力操作によって、設定された量の遊技媒体を払い出す。なお、本実施例では、払出ボタン７の押下げの次に、認証手段１５による認証を行う順番になっているが、この構成に限らず、認証手段１５による認証が成功した後に、払出ボタン７を押下げる構成としてもよい。また、払出ボタン７を押下げながら認証手段１５による認証を行わせるように構成しても良い。さらに、従業員用記録媒体１を読取手段６に翳しながら払出ボタン７を押下させる構成としても良い。この場合、従業員用記録媒体１と読取手段６とが交信されている状態で、払出ボタン７が押下された場合に、払出手段１０が動作するよう構成する。
【００５６】
遊技場の従業員は、遊技機５の上皿２４（図２参照）にあるパチンコ玉等の遊技媒体の量を監視し、遊技媒体の量の不足を察知した場合には、適宜、上述したように払出操作手段を操作して、所定量の遊技媒体の払出しを行わせる。
【００５７】
遊技媒体自動払出システムＤの遊技媒体の自動払出を終了する場合には、遊技媒体払出装置２の運営モードをテストモードからテストモード以外のモード、例えば通常モードに切り替える。具体的な流れは、テストモードへの切替と同様である。図５に示すように、遊技場の従業員が遊技媒体払出装置２の切替操作手段８を操作し（ステップＳ３０１）、又従業員用記録媒体１を読取手段６に翳す等して（ステップＳ３０３）、従業員用記録媒体１と読取手段６間で通信を行わせ、認証手段１５に認証を行わせる（ステップＳ３０５）。その結果、認証成功信号を受信した切替手段９は、遊技媒体払出装置２の運営モードをテストモード以外のモードに切り替え、その旨を表示手段１１に表示する（ステップＳ３０６）。
【００５８】
なお、払出の終了方法としては、上述の方法の他に、例えば遊技媒体払出装置２に設けられている取消ボタン（図示省略）等の所定のボタンの操作や、このボタン操作と従業員用記録媒体１との組み合わせにより行うこととしても良い。すなわち、払出の終了とテストモードから他のモードへの切り替えを別個の操作により行うこととしても良い。また、テストモードから通常モードへの切替方法は一例であり、テストモードから他のモードに切り替えられれば、その方法は問わないものである。
【００５９】
上述したように、遊技媒体自動払出システムＤを構成することによって、テスト打ち時の遊技場の従業員がパチンコ玉等の遊技媒体を遊技機５の上皿２４に投入する作業負担を抑制することができる。また、遊技機５の上皿２４にあるパチンコ玉等の遊技媒体の量に合わせて、適宜、払出操作手段を操作して、所定量の遊技媒体の払出しを行わせることができる。また、遊技場の従業員は、遊技媒体払出装置２の運営モードの切替及び遊技媒体の払出しの際のいずれの場合においても、遊技媒体払出装置２に対してのみ操作を行えば良いため、操作を一元化でき、便宜である。
【００６０】
なお、本実施例におけるその他の構成及び作用は実施例１と同様であるため、説明を省略する。また、本実施例で詳述していない各構成手段の内容は上記実施例１〜３と同様であるので、説明を省略する。
【実施例５】
【００６１】
図１４は、遊技媒体自動払出システムＥを示す概念図である。遊技媒体自動払出システムＥは、従業員用記録媒体１と遊技媒体払出装置２と管理装置３から構成されており、遊技媒体払出装置２と管理装置３は、通信回線を通じて接続されて、情報及び信号の送受信が可能である。遊技媒体払出装置２は特に、切替手段９、払出手段１０を備えている。また管理装置３は特に、読取手段６、払出ボタン７、切替操作手段８、表示手段１１、払出指令手段１２、識別情報記憶手段１４、認証手段１５、払出数設定手段１７、モード制御手段２９を備えている。
【００６２】
次に、遊技媒体自動払出システムＥの具体的な処理の流れを、図７、図９、図１５を用いて説明する。図７に示すように、遊技場の従業員が管理装置３の切替操作手段８を操作すると（ステップＳ４０１）、切替操作信号を受け付け（ステップＳ４０２）、読取手段６に従業員用記録媒体１をかざすよう促す報知が表示手段１１への表示或いは音声等によりなされる。そして、遊技場の従業員が従業員用記録媒体１を管理装置３の読取手段６に翳す等して（ステップＳ４０３）、従業員用記録媒体１と読取手段６間で通信を行わせると、読取手段６は、従業員用記録媒体１の識別情報記録手段４に記録されている識別情報を読み取って、認証手段１５に送信する（ステップＳ４０４）。識別情報を受信した認証手段１５は、識別情報記憶手段１４に記憶されている従業員の各識別情報を呼び出して、当該識別情報と比較し、一致するか否かの認証を行う（ステップＳ４０５）。認証が成功した場合には、切替操作に基づく認証に成功した旨の認証成功信号をモード制御手段２９に送信する。モード制御手段２９は、切替操作で指定されたモード（テストモード）への切替を指令するモード切替信号を遊技媒体払出装置２の切替手段９に送信する。切替手段９は遊技媒体払出装置２の運営モードをテストモードに切り替えると（ステップＳ４０６）、切替完了信号を管理装置３に送信する。この切替完了信号を受信すると、表示手段１１は遊技媒体払出装置２の運営モードがテストモードに切り替わった旨を表示する（ステップＳ４０７）。一方、認証が失敗した場合には、表示手段１１は、認証が失敗した旨を表示する（ステップＳ４０８）。なお、この切替操作手段８による切替操作と、従業員用記録媒体１を用いた認証とを一定時間以内に行わせるようにしても良い。
【００６３】
なお、本実施例では、切替操作手段８の切替操作の次に、認証手段１５による認証を行う順番になっているが、この構成に限らず、認証手段１５による認証が成功した後に、切替操作手段８に対して切替操作を行う構成としてもよい。また、切替操作手段８の操作中に認証手段１５による認証を行わせる構成としても良い。例えば、切替操作手段８をボタンで構成している場合、このボタンが押下されている間に従業員用記録媒体１を読取手段６に翳す、などである。さらに、従業員用記録媒体１を読取手段６に翳しながら切替操作手段８の切替操作を受け付ける構成としても良い。この場合、従業員用記録媒体１と読取手段６とが交信されている状態で、切替操作手段８による切替操作がなされた場合に、切替手段９が動作するよう構成する。
【００６４】
このテストモードの状態で払出操作手段の払出操作を行うと、払出指令手段１２が払出信号を遊技媒体払出装置２の払出手段１０に送信し、払出手段１０は遊技媒体の払出しを行う。以下、具体的に説明する。図１５に示すように、遊技媒体払出装置２の運営モードがテストモードの状態で、遊技場の従業員が、管理装置３の払出ボタン７を押し下げると（ステップＳ９０１）、払出操作信号を受け付け（ステップＳ９０２）、読取手段６に従業員用記録媒体１をかざすよう促す報知が表示手段１１への表示或いは音声等によりなされる。そして、遊技場の従業員が従業員用記録媒体１を管理装置３の読取手段６に翳す等して（ステップＳ９０３）、従業員用記録媒体１と読取手段６との間で通信を行わせると、読取手段６は、従業員用記録媒体１の識別情報記録手段４に記録されている識別情報を読み取って（ステップＳ９０４）、認証手段１５に送信する。識別情報を受信した認証手段１５は、識別情報記憶手段１４に記憶されている従業員の各識別情報を呼び出して、当該識別情報と比較し、一致するか否かの認証を行う（ステップＳ９０５）。認証が成功した場合には、認証成功信号を払出指令手段１２に送信する。一方、認証に失敗した場合は、表示手段１１は、認証に失敗した旨を表示する（ステップＳ９０６）。なお、この払出操作手段による払出操作と、従業員用記録媒体１を用いた認証とを一定時間以内に行わせるようにしても良い。
【００６５】
認証成功信号を受信した払出指令手段１２は、払出信号を遊技媒体払出装置２の払出手段１０に送信する（ステップＳ９０７）。払出信号を受信した払出手段１０は、所定量の遊技媒体を払出して、遊技機５に供給する（ステップＳ９０８）。または、予め払出数設定手段１７の入力操作によって、設定された量の遊技媒体を払出す。なお、本実施例では、払出ボタン７の押下げの次に、認証手段１５による認証を行う順番になっているが、この構成に限らず、認証手段１５による認証が成功した後に、払出ボタン７を押下げる構成としてもよい。また、払出ボタン７を押し下げながら認証手段１５による認証を行わせるように構成しても良い。さらに、従業員用記録媒体１を読取手段６に翳しながら払出ボタン７を押下させる構成としても良い。この場合、従業員用記録媒体１と読取手段６とが交信されている状態で、払出ボタン７が押下された場合に、払出手段１０が動作するよう構成する。
【００６６】
遊技場の従業員は、遊技機５の上皿２４(図２参照)にあるパチンコ玉等の遊技媒体の量を監視し、遊技媒体の量の不足を察知した場合には、適宜、上述したように払出操作手段を操作して、所定量の遊技媒体の払出しを行わせる。
【００６７】
遊技媒体自動払出システムＥの遊技媒体の払出を終了する場合には、遊技媒体払出装置２の運営モードをテストモードからテストモード以外のモード、例えば通常モードに切り替える。具体的な流れは、テストモードへの切替と同様である。図９に示すように、遊技場の従業員が管理装置３の切替操作手段８を操作し（ステップＳ６０１）、又従業員用記録媒体１を読取手段６に翳す等して（ステップＳ６０３）、従業員用記録媒体１と読取手段６間で通信を行わせ、認証手段１５に認証を行わせる（ステップＳ６０５）。その結果、認証に成功した場合、切替操作に基づく認証に成功した旨の認証成功信号をモード制御手段２９に送信する。この認証成功信号を受信したモード制御手段２９は、切替操作で指定されたモード（例えば通常モード）への切替を指令するモード切替信号を遊技媒体払出装置２の切替手段９に送信する。そして切替手段９は、遊技媒体払出装置２の運営モードを通常モードに切り替え（ステップＳ６０６）、切替が完了すると切替完了信号を管理装置３に送信する。この切替完了信号を受信すると、表示手段１１は遊技媒体払出装置２の運営モードが通常モードに切り替わった旨を表示する（ステップＳ６０７）。
【００６８】
なお、払出の終了方法としては、上述の方法の他に、例えば遊技媒体払出装置２に設けられている取消ボタン（図示省略）等の所定のボタンの操作や、このボタン操作と従業員用記録媒体１との組み合わせにより行うこととしても良い。すなわち、払出の終了とテストモードから他のモードへの切り替えを別個の操作により行うこととしても良い。また、テストモードから通常モードへの切替方法は一例であり、テストモードから他のモードに切り替えられれば、その方法は問わないものである。
【００６９】
上述したように、遊技媒体自動払出システムＥを構成することによって、遊技場の従業員は、遊技媒体払出装置２の運営モードの切替及び遊技媒体の払出しの際のいずれの場合においても、管理装置３に対してのみ操作を行えば良いため、操作を一元化でき、便宜である。
【００７０】
なお、本実施例におけるその他の構成及び作用は実施例１と同様であるため、説明を省略する。また、本実施例で詳述していない各構成手段の内容は上記実施例１〜４と同様であるので、説明を省略する。
【実施例６】
【００７１】
図１６は、遊技媒体自動払出システムＦを示す概念図である。遊技媒体自動払出システムＦは、従業員用記録媒体１と遊技媒体払出装置２と管理装置３から構成されており、遊技媒体払出装置２と管理装置３は、通信回線を通じて接続されて、情報及び信号の送受信が可能である。遊技媒体払出装置２は特に、払出ボタン７、切替手段９、払出手段１０、払出指令手段１２、読取手段１６、払出数設定手段１７、表示手段３２を備えている。また管理装置３は特に、読取手段６、切替操作手段８、表示手段１１、識別情報記憶手段１４、認証手段１５、モード制御手段２９を備えている。
【００７２】
次に、遊技媒体自動払出システムＦの具体的な処理の流れを、図７、図９、図１７を用いて説明する。図７に示すように、遊技場の従業員が管理装置３の切替操作手段８を操作すると（ステップＳ４０１）、管理装置３は切替操作信号を受け付け（ステップＳ４０２）、読取手段６に従業員用記録媒体１を翳すよう促す報知が表示手段１１への表示或いは音声等によりなされる。そして、遊技場の従業員が従業員用記録媒体１を管理装置３の読取手段６に翳す等して（ステップＳ４０３）、従業員用記録媒体１と読取手段６間で通信を行わせると、読取手段６は、従業員用記録媒体１の識別情報記録手段４に記録されている識別情報を読み取って（ステップＳ４０４）、認証手段１５に送信する。識別情報を受信した認証手段１５は、識別情報記憶手段１４に記憶されている従業員の各識別情報を呼び出して、当該識別情報と比較し、一致するか否かの認証を行う（ステップＳ４０５）。認証が成功した場合には、切替操作に基づく認証に成功した旨の認証成功信号をモード制御手段２９に送信する。モード制御手段２９は、切替操作で指定されたモード（テストモード）への切替を指令するモード切替信号を遊技媒体払出装置２の切替手段９に送信する。切替手段９は遊技媒体払出装置２の運営モードをテストモードに切り替えると（ステップＳ４０６）、切替完了信号を管理装置３に送信する。この切替完了信号を受信すると、表示手段１１は遊技媒体払出装置２の運営モードがテストモードに切り替わった旨を表示する（ステップＳ４０７）。一方、認証が失敗した場合には、表示手段１１は、認証が失敗した旨を表示する（ステップＳ４０８）。なお、この切替操作手段８による切替操作と、従業員用記録媒体１を用いた認証とを一定時間以内に行わせるようにしても良い。
【００７３】
なお、本実施例では、切替操作手段８の切替操作の次に、認証手段１５による認証を行う順番になっているが、この構成に限らず、認証手段１５による認証が成功した後に、切替操作手段８に対して切替操作を行う構成としてもよい。また、切替操作手段８の操作中に認証手段１５による認証を行わせる構成としても良い。例えば、切替操作手段８をボタンで構成している場合、このボタンが押下されている間に従業員用記録媒体１を読取手段６に翳す、などである。さらに、従業員用記録媒体１を読取手段６に翳しながら切替操作手段８の切替操作を受け付ける構成としても良い。この場合、従業員用記録媒体１と読取手段６とが交信されている状態で、切替操作手段８による切替操作がなされた場合に、切替手段９が動作するよう構成する。
【００７４】
このテストモードの状態で、払出操作手段の払出操作を行うと、払出指令手段１２が払出信号を払出手段１０に送信し、払出手段１０は遊技媒体の払出しを行う。以下、具体的に説明する。図１７に示すように、遊技媒体払出装置２の運営モードがテストモードの状態で、遊技場の従業員が、遊技媒体払出装置２の払出ボタン７を押し下げると（ステップＳ１００１）、払出操作信号を受け付け（ステップＳ１００２）、読取手段１６に従業員用記録媒体１を翳すよう促す報知が表示手段３２への表示或いは音声等によりなされる。そして、遊技場の従業員が従業員用記録媒体１を遊技媒体払出装置２の読取手段１６に翳す等して（ステップＳ１００３）、従業員用記録媒体１と読取手段１６間で通信を行わせると、読取手段１６は、従業員用記録媒体１の識別情報記録手段４に記録されている識別情報を読み取って（ステップＳ１００４）、管理装置３の認証手段１５に送信する。識別情報を受信した認証手段１５は、識別情報記憶手段１４に記憶されている従業員の各識別情報を呼び出して、当該識別情報と比較し、一致するか否かの認証を行う（ステップＳ１００５）。認証が成功した場合には、認証成功信号を払出指令手段１２に送信する。一方、認証に失敗した場合は、表示手段３２は、認証に失敗した旨を表示する。なお、この払出操作手段による払出操作と、従業員用記録媒体１を用いた認証とを一定時間以内に行わせるようにしても良い。
【００７５】
認証成功信号を受信した払出指令手段１２は、払出信号を払出手段１０に送信する。払出信号を受信した払出手段１０は、所定量の遊技媒体を払出して、遊技機５に供給する（ステップＳ１００６）。または、予め払出数設定手段１７の入力操作によって、設定された量の遊技媒体を払い出す。なお、本実施例では、払出ボタン７の押下げの次に、認証手段１５による認証を行う順番になっているが、この構成に限らず、認証手段１５による認証が成功した後に、払出ボタン７を押下げる構成としてよい。また、払出ボタン７を押下げながら認証手段１５による認証を行わせるように構成しても良い。さらに、従業員用記録媒体１を読取手段６に翳しながら払出ボタン７を押下させる構成としても良い。この場合、従業員用記録媒体１と読取手段６とが交信されている状態で、払出ボタン７が押下された場合に、払出手段１０が動作するよう構成する。
【００７６】
遊技場の従業員は、遊技機５の上皿２４(図２参照)にあるパチンコ玉等の遊技媒体の量を監視し、遊技媒体の量の不足を察知した場合には、適宜、上述したように払出操作手段を操作して、所定量の遊技媒体の払出しを行わせる。
【００７７】
遊技媒体自動払出システムＦの遊技媒体の自動払出を終了する場合には、遊技媒体払出装置２の運営モードをテストモードからテストモード以外のモード、例えば通常モードに切り替える。具体的な流れは、テストモードへの切替と同様である。図９に示すように、遊技場の従業員が管理装置３の切替操作手段８を操作し（ステップＳ６０１）、又従業員用記録媒体１を読取手段６に翳す等して（ステップＳ６０３）、従業員用記録媒体１と読取手段６間で通信を行わせ、認証手段１５に認証を行わせる（ステップＳ６０５）。その結果、認証に成功した場合、切替操作に基づく認証に成功した旨の認証成功信号をモード制御手段２９に送信する。この認証成功信号を受信したモード制御手段２９は、切替操作で指定されたモード（例えば通常モード）への切替を指令するモード切替信号を遊技媒体払出装置２の切替手段９に送信する。そして切替手段９は、遊技媒体払出装置２の運営モードを通常モードに切り替え（ステップＳ６０６）、切替が完了すると切替完了信号を管理装置３に送信する。この切替完了信号を受信すると、表示手段１１は遊技媒体払出装置２の運営モードが通常モードに切り替わった旨を表示する（ステップＳ６０７）。
【００７８】
なお、払出の終了方法としては、上述の方法の他に、例えば遊技媒体払出装置２に設けられている取消ボタン（図示省略）等の所定のボタンの操作や、このボタン操作と従業員用記録媒体１との組み合わせにより行うこととしても良い。すなわち、払出の終了とテストモードから他のモードへの切り替えを別個の操作により行うこととしても良い。また、テストモードから通常モードへの切替方法は一例であり、テストモードから他のモードに切り替えられれば、その方法は問わないものである。
【００７９】
なお、本実施例におけるその他の構成及び作用は実施例１と同様であるため、説明を省略する。また、本実施例で詳述していない各構成手段の内容は上記実施例１〜５と同様であるので、説明を省略する。
【実施例７】
【００８０】
図１８は、遊技媒体自動払出システムＧを示す概念図である。遊技媒体自動払出システムＧは、従業員用記録媒体１と遊技媒体払出装置２と管理装置３から構成されており、遊技媒体払出装置２と管理装置３は、通信回線を通じて接続されて、情報及び信号の送受信が可能である。
【００８１】
計時手段１３は、時間を計時するタイマーであり、払出信号を受信すると計時を開始し、所定の時間が経過すると、払出要求信号を払出指令手段１２に送信して、払出信号の送出を払出指令手段１２に要求する。
【００８２】
遊技媒体払出装置２は特に、読取手段６、払出ボタン７、切替操作手段８、切替手段９、払出手段１０、表示手段１１、払出指令手段１２、計時手段１３、払出数設定手段１７を備えている。管理装置３は、プログラム制御により動作するコンピュータであり、管理装置３は特に、識別情報記憶手段１４、認証手段１５を備えている。
【００８３】
次に、遊技媒体自動払出システムＧの具体的な処理の流れを、図３、図５、図１９を用いて説明する。図３に示すように、遊技場の従業員が遊技媒体払出装置２の切替操作手段８を操作すると（ステップＳ１０１）、切替操作信号を受け付け（ステップＳ１０２）、読取手段６に従業員用記録媒体１を翳すよう促す報知が表示手段１１への表示或いは音声等によりなされる。そして、遊技場の従業員が従業員用記録媒体１を読取手段６に翳す等して（ステップＳ１０３）、従業員用記録媒体１と読取手段６間で通信を行わせると、読取手段６は、従業員用記録媒体１の識別情報記録手段４に記録されている識別情報を読み取って（ステップＳ１０４）、管理装置３の認証手段１５に送信する。識別情報を受信した認証手段１５は、識別情報記憶手段１４に記憶されている従業員の各識別情報を呼び出して、当該識別情報と比較し、一致するか否かの認証を行う（ステップＳ１０５）。認証が成功した場合には、認証成功信号を切替手段９に送信する。一方、認証が失敗した場合には、エラー信号を遊技媒体払出装置２に送信し、エラー信号を受信した遊技媒体払出装置２の表示手段１１は、認証が失敗した旨を表示する。なお、この切替操作手段８による切替操作と、従業員用記録媒体１を用いた認証とを一定時間以内に行わせるようにしても良い。
【００８４】
認証成功信号を受信した切替手段９は、遊技媒体払出装置２の運営モードをテストモードに切り替え（ステップＳ１０６）、その旨を表示手段１１に表示する。なお、本実施例では、切替操作手段８の切替操作の次に、認証手段１５による認証を行う順番になっているが、この構成に限らず、認証手段１５による認証が成功した後に、切替操作手段８に対して切替操作を行う構成としてもよい。また、切替操作手段８の操作中に認証手段１５による認証を行わせる構成としても良い。例えば、切替操作手段８をボタンで構成している場合、このボタンが押下されている間に従業員用記録媒体１を読取手段６に翳す、などである。さらに、従業員用記録媒体１を読取手段６に翳しながら切替操作手段８の切替操作を受け付ける構成としても良い。この場合、従業員用記録媒体１と読取手段６とが交信されている状態で、切替操作手段８による切替操作がなされた場合に、切替手段９が動作するよう構成する。
【００８５】
このテストモードの状態で、払出操作手段の払出操作を行うと、払出指令手段１２が払出信号を払出手段１０に送信し、払出手段１０は遊技媒体の払出しを行う。以下、具体的に説明する。図１９に示すように、遊技媒体払出装置２の運営モードがテストモードの状態で、遊技場の従業員が、払出ボタン７を押下げると（ステップＳ１１０１）、払出操作信号を受け付け（ステップＳ１１０２）、読取手段６に従業員用記録媒体１をかざすよう促す報知が表示手段１１への表示或いは音声等によりなされる。そして、遊技場の従業員が従業員用記録媒体１を読取手段６に翳す等して（ステップＳ１１０３）、従業員用記録媒体１と読取手段６との間で通信を行わせると、読取手段６は、従業員用記録媒体１の識別情報記録手段４に記録されている識別情報を読み取って（ステップＳ１１０４）、管理装置３の認証手段１５に送信する。識別情報を受信した認証手段１５は、識別情報記憶手段１４に記憶されている従業員の各識別情報を呼び出して、当該識別情報と比較し、一致するか否かの認証を行う（ステップＳ１１０５）。この認証に成功した場合は、認証成功信号を払出指令手段１２に送信する。一方、認証に失敗した場合は、エラー信号を遊技媒体払出装置２に送信し（ステップＳ１１０６）、エラー信号を受信した遊技媒体払出装置２の表示手段１１は、認証が失敗した旨を表示する。なお、この払出操作手段による払出操作と、従業員用記録媒体１を用いた認証とを一定時間以内に行わせるようにしても良い。
【００８６】
認証成功信号を受信した払出指令手段１２は、払出信号を払出手段１０及び計時手段１３に送信する。払出信号を受信した払出手段１０は、所定量の遊技媒体を払出して、遊技機５に供給する（ステップＳ１１０７）。または、予め払出数設定手段１７の入力操作によって、設定された量の遊技媒体を払い出す。なお、本実施例では、払出ボタン７の押下げの次に、認証手段１５による認証を行う順番になっているが、この構成に限らず、認証手段１５による認証が成功した後に、払出ボタン７を押下げる構成としてもよい。また、払出ボタン７を押下げながら認証手段１５による認証を行わせるように構成しても良い。さらに、従業員用記録媒体１を読取手段６に翳しながら払出ボタン７を押下させる構成としても良い。この場合、従業員用記録媒体１と読取手段６とが交信されている状態で、払出ボタン７が押下された場合に、払出手段１０が動作するよう構成する。
【００８７】
払出信号を受信した計時手段１３は、計時をリセットして（ステップＳ１１０８）計時を開始し（ステップＳ１１０９）、予め設定されている一定の時間が経過すると（ステップＳ１１１０）、払出要求信号を払出指令手段１２に送信して、払出信号の送出を払出指令手段１２に要求する。払出要求信号を受信した払出指令手段１２は、払出信号を払出手段１０及び計時手段１３に送信する。払出信号を受信した払出手段１０は、所定量の遊技媒体を払出して、遊技機５に供給する（ステップＳ１１１１）。または、予め払出数設定手段１７の入力操作によって、設定された量の遊技媒体を払い出す。払出信号を受信した計時手段１３は、計時をクリアしてリセットし（ステップＳ１１１２）、計時を再び開始し、予め設定されている一定の時間が経過すると、払出要求信号を払出指令手段１２に送信する。なお、本実施例においては、払出信号の受信を契機として、計時手段１３は計時を開始する構成を示したが、これに限定されるわけではなく、例えば、遊技媒体払出装置２の遊技媒体の払出口(図示省略)に払出しを検知するセンサーを設け、当該センサーからの検知信号の受信を契機として、計時手段１３が計時を開始する構成としても良い。
【００８８】
遊技媒体自動払出システムＧの遊技媒体の自動払出を終了する場合には、遊技媒体払出装置２の運営モードをテストモードからテストモード以外のモード、例えば通常モードに切り替える。具体的な流れは、テストモードへの切替と同様である。図５に示すように、遊技場の従業員が遊技媒体払出装置２の切替操作手段８を操作し（ステップＳ３０１）、又従業員用記録媒体１を読取手段６に翳す等して（ステップＳ３０３）、従業員用記録媒体１と読取手段６間で通信を行わせ、認証手段１５に認証を行わせる（ステップＳ３０５）。その結果、認証成功信号を受信した切替手段９は、遊技媒体払出装置２の運営モードをテストモード以外のモードに切り替え（ステップＳ３０６）、その旨を表示手段１１に表示する。
【００８９】
なお、自動払出の終了方法としては、上述の方法の他に、例えば遊技媒体払出装置２に設けられている取消ボタン（図示省略）等の所定のボタンの操作や、このボタン操作と従業員用記録媒体１との組み合わせにより行うこととしても良い。すなわち、自動払出の終了とテストモードから他のモードへの切り替えを別個の操作により行うこととしても良い。また、テストモードから通常モードへの切替方法は一例であり、テストモードから他のモードに切り替えられれば、その方法は問わないものである。
【００９０】
上述したように、遊技媒体自動払出システムＧを構成することによって、テスト打ちの際にテスト打ちの際に、遊技場の従業員が遊技機に遊技媒体を投入する作業負担を極力抑制することができる。特に、計時手段１３を備えることにより、自動的に遊技媒体の追加の払出しを行うことができ、便宜である。また、遊技場の従業員は、遊技媒体払出装置２の運営モードの切替及び遊技媒体の払出しの際のいずれの場合においても、遊技媒体払出装置２に対してのみ操作を行えば良いため、操作を一元化でき、便宜である。
【００９１】
なお、本実施例におけるその他の構成及び作用は実施例１と同様であるため、説明を省略する。また、本実施例で詳述していない各構成手段の内容は上記実施例１〜６と同様であるので、説明を省略する。
【実施例８】
【００９２】
図２０は、遊技媒体自動払出システムＨを示す概念図である。遊技媒体自動払出システムＨは、従業員用記録媒体１と遊技媒体払出装置２と管理装置３から構成されており、遊技媒体払出装置２と管理装置３は、通信回線を通じて接続されて、情報及び信号の送受信が可能である。遊技媒体払出装置２は特に、切替手段９、払出手段１０を備えている。また管理装置３は特に、読取手段６、払出ボタン７、切替操作手段８、表示手段１１、払出指令手段１２、計時手段１３、識別情報記憶手段１４、認証手段１５、払出数設定手段１７、モード制御手段２９を備えている。
【００９３】
次に、遊技媒体自動払出システムＨの具体的な処理の流れを、図７、図９、図２１を用いて説明する。図７に示すように、遊技場の従業員が管理装置３の切替操作手段８を操作すると（ステップＳ４０１）、切替操作信号を受け付け（ステップＳ４０２）、読取手段６に従業員用記録媒体１をかざすよう促す報知が表示手段１１への表示或いは音声等によりなされる。そして、遊技場の従業員が従業員用記録媒体１を管理装置３の読取手段６に翳す等して（ステップＳ４０３）、従業員用記録媒体１と読取手段６間で通信を行わせると、読取手段６は、従業員用記録媒体１の識別情報記録手段４に記録されている識別情報を読み取って（ステップＳ４０４）、認証手段１５に送信する。識別情報を受信した認証手段１５は、識別情報記憶手段１４に記憶されている従業員の各識別情報を呼び出して、当該識別情報と比較し、一致するか否かの認証を行う（ステップＳ４０５）。認証が成功した場合には、切替操作に基づく認証に成功した旨の認証成功信号をモード制御手段２９に送信する。モード制御手段２９は、切替操作で指定されたモード（テストモード）への切替を指令するモード切替信号を遊技媒体払出装置２の切替手段９に送信する。切替手段９は遊技媒体払出装置２の運営モードをテストモードに切り替えると（ステップＳ４０６）、切替完了信号を管理装置３に送信する。この切替完了信号を受信すると、表示手段１１は遊技媒体払出装置２の運営モードがテストモードに切り替わった旨を表示する（ステップＳ４０７）。一方、認証が失敗した場合には、表示手段１１は、認証が失敗した旨を表示する（ステップＳ４０８）。なお、この切替操作手段８による切替操作と、従業員用記録媒体１を用いた認証とを一定時間以内に行わせるようにしても良い。
【００９４】
なお、本実施例では、切替操作手段８の切替操作の次に、認証手段１５による認証を行う順番になっているが、この構成に限らず、認証手段１５による認証が成功した後に、切替操作手段８に対して切替操作を行う構成としてもよい。また、切替操作手段８の操作中に認証手段１５による認証を行わせる構成としても良い。例えば、切替操作手段８をボタンで構成している場合、このボタンが押下されている間に従業員用記録媒体１を読取手段６に翳す、などである。さらに、従業員用記録媒体１を読取手段６に翳しながら切替操作手段８の切替操作を受け付ける構成としても良い。この場合、従業員用記録媒体１と読取手段６とが交信されている状態で、切替操作手段８による切替操作がなされた場合に、切替手段９が動作するよう構成する。
【００９５】
このテストモードの状態で払出操作手段の払出操作を行うと、払出指令手段１２が払出信号を遊技媒体払出装置２の払出手段１０に送信し、払出手段１０は遊技媒体の払出しを行う。以下、具体的に説明する。図２１に示すように、遊技媒体払出装置２の運営モードがテストモードの状態で、遊技場の従業員が、管理装置３の払出ボタン７を押下げると（ステップＳ１２０１）、払出操作信号を受け付け（ステップＳ１２０２）、読取手段６に従業員用記録媒体１をかざすよう促す報知が表示手段１１への表示或いは音声等によりなされる。そして、遊技場の従業員が従業員用記録媒体１を管理装置３の読取手段６に翳す等して（ステップＳ１２０３）、従業員用記録媒体１と読取手段６との間で通信を行わせると、読取手段６は、従業員用記録媒体１の識別情報記録手段４に記録されている識別情報を読み取って（ステップＳ１２０４）、認証手段１５に送信する。識別情報を受信した認証手段１５は、識別情報記憶手段１４に記憶されている従業員の各識別情報を呼び出して、当該識別情報と比較し、一致するか否かの認証を行う（ステップＳ１２０５）。認証が成功した場合には、認証成功信号を払出指令手段１２に送信する。一方、認証に失敗した場合は、表示手段１１は、認証に失敗した旨を表示する（ステップＳ１２０６）。なお、この払出操作手段による払出操作と、従業員用記録媒体１を用いた認証とを一定時間以内に行わせるようにしても良い。
【００９６】
認証成功信号を受信した払出指令手段１２は、払出信号を遊技媒体払出装置２の払出手段１０及び計時手段１３に送信する（ステップＳ１２０７）。払出信号を受信した払出手段１０は、所定量の遊技媒体を払出して、遊技機５に供給する（ステップＳ１２０８）。または、予め払出数設定手段１７の入力操作によって、設定された量の遊技媒体を払い出す。なお、本実施例では、払出ボタン７の押下げの次に、認証手段１５による認証を行う順番になっているが、この構成に限らず、認証手段１５による認証が成功した後に、払出ボタン７を押下げる構成としてもよい。また、払出ボタン７を押下げながら認証手段１５による認証を行わせるように構成しても良い。さらに、従業員用記録媒体１を読取手段６に翳しながら払出ボタン７を押下させる構成としても良い。この場合、従業員用記録媒体１と読取手段６とが交信されている状態で、払出ボタン７が押下された場合に、払出手段１０が動作するよう構成する。
【００９７】
払出信号を受信した計時手段１３は、計時をリセットして（ステップＳ１２０９）、計時を開始し（ステップＳ１２１０）、予め設定されている一定の時間が経過すると、払出要求信号を払出指令手段１２に送信して、払出信号の送出を払出指令手段１２に要求する。払出要求信号を受信した払出指令手段１２は、払出信号を遊技媒体払出装置２の払出手段１０及び計時手段１３に送信する。払出信号を受信した払出手段１０は、所定量の遊技媒体を払出して、遊技機５に供給する（ステップＳ１２１１）。払出信号を受信した計時手段１３は、計時をクリアしてリセットし（ステップＳ１２１２）、計時を再び開始し（ステップＳ１２１０）、予め設定されている一定の時間が経過すると、払出要求信号を払出指令手段１２に送信する。
【００９８】
遊技媒体自動払出システムＨの遊技媒体の自動払出を終了する場合には、遊技媒体払出装置２の運営モードをテストモードからテストモード以外のモード、例えば通常モードに切り替える。具体的な流れは、テストモードへの切替と同様である。図９に示すように、遊技場の従業員が管理装置３の切替操作手段８を操作し（ステップＳ６０１）、又従業員用記録媒体１を読取手段６に翳す等して（ステップＳ６０３）、従業員用記録媒体１と読取手段６間で通信を行わせ、認証手段１５に認証を行わせる（ステップＳ６０５）。その結果、認証に成功した場合、切替操作に基づく認証に成功した旨の認証成功信号をモード制御手段２９に送信する。この認証成功信号を受信したモード制御手段２９は、切替操作で指定されたモード（例えば通常モード）への切替を指令するモード切替信号を遊技媒体払出装置２の切替手段９に送信する。そして切替手段９は、遊技媒体払出装置２の運営モードを通常モードに切り替え（ステップＳ６０６）、切替が完了すると切替完了信号を管理装置３に送信する。この切替完了信号を受信すると、表示手段１１は遊技媒体払出装置２の運営モードが通常モードに切り替わった旨を表示する（ステップＳ６０７）。
【００９９】
なお、自動払出の終了方法としては、上述の方法の他に、例えば遊技媒体払出装置２に設けられている取消ボタン（図示省略）等の所定のボタンの操作や、このボタン操作と従業員用記録媒体１との組み合わせにより行うこととしても良い。すなわち、自動払出の終了とテストモードから他のモードへの切り替えを別個の操作により行うこととしても良い。また、テストモードから通常モードへの切替方法は一例であり、テストモードから他のモードに切り替えられれば、その方法は問わないものである。
【０１００】
上述したように、遊技媒体自動払出システムＨを構成することによって、遊技場の従業員は、遊技媒体払出装置２の運営モードの切替及び遊技媒体の払出しの際のいずれの場合においても、管理装置３に対してのみ操作を行えば良いため、操作を一元化でき、便宜である。
【０１０１】
なお、本実施例におけるその他の構成及び作用は実施例１と同様であるため、説明を省略する。また、本実施例で詳述していない各構成手段の内容は上記実施例１〜７と同様であるので、説明を省略する。
【実施例９】
【０１０２】
図２２は、遊技媒体自動払出システムＩを示す概念図である。遊技媒体自動払出システムＩは、従業員用記録媒体１と遊技媒体払出装置２と管理装置３から構成されており、遊技媒体払出装置２と管理装置３は、通信回線を通じて接続されて、情報及び信号の送受信が可能である。遊技媒体払出装置２は特に、払出ボタン７、切替手段９、払出手段１０、払出指令手段１２、計時手段１３、読取手段１６、払出数設定手段１７、表示手段３２を備えている。また管理装置３は特に、読取手段６、切替操作手段８、表示手段１１、識別情報記憶手段１４、認証手段１５、モード制御手段２９を備えている。
【０１０３】
次に、遊技媒体自動払出システムＩの具体的な処理の流れを、図７、図９、図２３を用いて説明する。なお、テストモードへの切替、及び自動払出の終了（テストモードからテストモード以外のモードへの切替）は上記実施例８と同様であるので説明を省略する（図７及び図９参照）。
【０１０４】
遊技媒体払出装置２がテストモードの状態で、払出操作手段の払出操作を行うと、払出指令手段１２が払出信号を払出手段１０に送信し、払出手段１０は遊技媒体の払出しを行う。以下、具体的に説明する。図２３に示すように、遊技媒体払出装置２の運営モードがテストモードの状態で、遊技場の従業員が、遊技媒体払出装置２の払出ボタン７を押し下げると（ステップＳ１３０１）、払出操作信号を受け付け（ステップＳ１３０２）、読取手段１６に従業員用記録媒体１を翳すよう促す報知が表示手段３２への表示或いは音声等によりなされる。そして、遊技場の従業員が従業員用記録媒体１を遊技媒体払出装置２の読取手段１６に翳す等して（ステップＳ１３０３）、従業員用記録媒体１と読取手段１６間で通信を行わせると、読取手段１６は、従業員用記録媒体１の識別情報記録手段４に記録されている識別情報を読み取って（ステップＳ１３０４）、管理装置３の認証手段１５に送信する。識別情報を受信した認証手段１５は、識別情報記憶手段１４に記憶されている従業員の各識別情報を呼び出して、当該識別情報と比較し、一致するか否かの認証を行う（ステップＳ１３０５）。認証が成功した場合には、認証成功信号を払出指令手段１２に送信する。一方、認証に失敗した場合は、表示手段３２は、認証に失敗した旨を表示する。なお、この払出操作手段による払出操作と、従業員用記録媒体１を用いた認証とを一定時間以内に行わせるようにしても良い。
【０１０５】
認証成功信号を受信した払出指令手段１２は、払出信号を払出手段１０及び計時手段１３に送信する。払出信号を受信した払出手段１０は、所定量の遊技媒体を払出して、遊技機５に供給する（ステップＳ１３０６）。または、予め払出数設定手段１７の入力操作によって、設定された量の遊技媒体を払い出す。なお、本実施例では、払出ボタン７の押下げの次に、認証手段１５による認証を行う順番になっているが、この構成に限らず、認証手段１５による認証が成功した後に、払出ボタン７を押下げる構成としてよい。また、払出ボタン７を押下げながら認証手段１５による認証を行わせるように構成しても良い。さらに、従業員用記録媒体１を読取手段６に翳しながら払出ボタン７を押下させる構成としても良い。この場合、従業員用記録媒体１と読取手段６とが交信されている状態で、払出ボタン７が押下された場合に、払出手段１０が動作するよう構成する。
【０１０６】
払出信号を受信した計時手段１３は、計時をリセットして（ステップＳ１３０７）、計時を開始し（ステップＳ１３０８）、予め設定されている一定の時間が経過すると、払出要求信号を払出指令手段１２に送信して、払出信号の送出を払出指令手段１２に要求する。払出要求信号を受信した払出指令手段１２は、払出信号を払出手段１０及び計時手段１３に送信する。払出信号を受信した払出手段１０は、所定量の遊技媒体を払出して、遊技機５に供給する（ステップＳ１３０９）。払出信号を受信した計時手段１３は、計時をクリアしてリセットし（ステップＳ１３１０）、計時を再び開始し（ステップＳ１３０８）、予め設定されている一定の時間が経過すると、払出要求信号を払出指令手段１２に送信する。
【０１０７】
なお、本実施例におけるその他の構成及び作用は実施例１と同様であるため、説明を省略する。
【０１０８】
なお、上記実施例１〜９においては、遊技媒体払出装置２の運営モードの切替の条件として、切替操作手段８の切替操作と、認証手段１５の行う認証の成功の２つが必要な構成を示しているが、この構成に限定されるものではなく、切替操作手段８の切替操作あるいは、認証手段１５の認証の成功のみを、遊技媒体払出装置２の運営モードの切替の条件とする構成としても良い。認証手段１５の認証の成功のみを運営モード切替の条件とする場合、遊技媒体払い出し装置２の運営モードを記憶する状態記憶手段（図示省略）を更に設け、認証に成功すると、状態記憶手段に記憶されているモードをチェックし、通常モードと記憶されていればテストモードに切り替え、テストモードと記憶されていれば通常モードに切り替えるなどの構成とすることができる。また、例えば通常モードからテストモードへの切替えは切替操作手段８の切替操作と認証手段１５の行う認証の成功の２つを条件とし、テストモードから通常モードへの切替は認証のみとすることも可能である。この場合はテストモードから通常モードへの切替時に認証に成功すると状態記憶手段の状態をチェックして切替を行うよう構成することができる。このようにすることで、通常モードを基軸として切替操作手段８を用いて他の複数のモードへ切り替えることができ、通常モードへ戻す場合は簡易な操作で行うことができる。
【０１０９】
また、上記実施例１〜９においては、遊技媒体の払出しの条件として、払出ボタン７の押下げと、認証手段１５の行う認証の成功の２つが必要な構成を示しているが、この構成に限定されるものではなく、払出ボタン７の押下げ、あるいは、認証手段１５の認証の成功のいずれか１つを、遊技媒体の払出しの条件とする構成としても良い。
【０１１０】
従って、例えば認証の成功を遊技媒体払出装置２の運営モードの切替の条件及び遊技媒体の払出しの条件としない場合には、認証に必要な、従業員用記録媒体１、読取手段６、識別情報記憶手段１４、認証手段１５、読取手段１６の構成要素は不要となる。一方、認証の成功のみを遊技媒体払出装置２の運営モードの切替の条件及び遊技媒体の払出しの条件とする場合には、払出ボタン７、切替操作手段８の構成要素は不要となる。更に、例えば認証の成功を遊技媒体払出装置２の運営モードの切替の条件とし、払出ボタン７の押下げのみを遊技媒体の払出しの条件とする場合には、従業員用記録媒体１、読取手段６、識別情報記憶手段１４、認証手段１５の構成要素は、遊技媒体払出装置２の運営モードの切替を行う際にのみ、使用されることとなる。つまり上記実施例１〜９で示した遊技媒体払出装置２の運営モードの切替の条件と、遊技媒体の払出しの条件の組み合わせは、一例であって、条件及びそれに伴う構成要素の組み合わせは自在である。
【０１１１】
なお、本実施例では管理装置３に識別情報記憶手段１４及び認証手段１５を設け、管理装置３にて認証を行っているが、認証を遊技媒体払出装置２で行っても良い。この場合は、例えば各遊技媒体払出装置２に読取手段６、識別情報記憶手段１４、認証手段１５を設け、所定のタイミングで管理装置３の識別情報記憶手段１４の記憶情報を受信して遊技媒体払出装置２の識別情報記憶手段１４に記憶しておき、認証に用いるように構成することができる。
【０１１２】
また、上記実施例１では、遊技媒体払出装置２の運営モードを切り替える際、この切替操作で同時に、又は別個の操作で管理装置３の運営モードをテストモードとテストモード以外のモードとに切り替えるよう構成しても良い。遊技媒体払出装置２と同時に切り替える場合は、上述の切替操作・認証操作を行った際に遊技媒体払出装置２と管理装置３との運営モードをテストモードとテストモード以外のモードとに相互に切り替える。遊技媒体払出装置２の運営モード切替と別個で管理装置３の運営モード切替を行う場合は、遊技媒体払出装置２と管理装置３とに切替操作に必要な構成手段を設け、それぞれで行うよう構成することができる。
【０１１３】
また、管理装置３からの運営モードの切替え、遊技媒体の払出指令は、遊技場に設置しているすべての遊技媒体払出装置２に対して一斉に行うこともできるし、個々の、あるいは予め指定された単位（例えば島単位）に属する遊技媒体払出装置２に対して行うこともできる。
【０１１４】
なお、上記実施例1〜９において、各構成要素を遊技媒体払出装置２又は管理装置３に備えることとしているが、これは実施例の記載に限定されるものではなく、構成要素を備える装置が実施例の記載と異なっている場合であっても、本発明の範囲に含まれるものである。また、上記実施例１〜９においては、払出手段１０を、遊技媒体払出装置２に備える構成を示したが、この構成に限定されるものではなく、遊技機５に備える構成としても良い。従ってその場合には、払出指令手段１２から払出信号を受信すると、遊技機５は自ら、遊技媒体を払い出す。
【図面の簡単な説明】
【０１１５】
【図１】実施例１の遊技媒体自動払出システムの全体を示す概念図である。
【図２】遊技媒体払出装置及び遊技機を示す正面図である。
【図３】実施例１の遊技媒体自動払出システムの処理の流れを示す流れ図である。
【図４】実施例１の遊技媒体自動払出システムの処理の流れを示す流れ図である。
【図５】実施例１の遊技媒体自動払出システムの処理の流れを示す流れ図である。
【図６】実施例２の遊技媒体自動払出システムの全体を示す概念図である。
【図７】実施例２の遊技媒体自動払出システムの処理の流れを示す流れ図である。
【図８】実施例２の遊技媒体自動払出システムの処理の流れを示す流れ図である。
【図９】実施例２の遊技媒体自動払出システムの処理の流れを示す流れ図である。
【図１０】実施例３の遊技媒体自動払出システムの全体を示す概念図である。
【図１１】実施例３の遊技媒体自動払出システムの処理の流れを示す流れ図である。
【図１２】実施例４の遊技媒体自動払出システムの全体を示す概念図である。
【図１３】実施例４の遊技媒体自動払出システムの処理の流れを示す流れ図である。
【図１４】実施例５の遊技媒体自動払出システムの全体を示す概念図である。
【図１５】実施例５の遊技媒体自動払出システムの処理の流れを示す流れ図である。
【図１６】実施例６の遊技媒体自動払出システムの全体を示す概念図である。
【図１７】実施例６の遊技媒体自動払出システムの処理の流れを示す流れ図である。
【図１８】実施例７の遊技媒体自動払出システムの全体を示す概念図である。
【図１９】実施例７の遊技媒体自動払出システムの処理の流れを示す流れ図である。
【図２０】実施例８の遊技媒体自動払出システムの全体を示す概念図である。
【図２１】実施例８の遊技媒体自動払出システムの処理の流れを示す流れ図である。
【図２２】実施例９の遊技媒体自動払出システムの全体を示す概念図である。
【図２３】実施例９の遊技媒体自動払出システムの処理の流れを示す流れ図である。
【符号の説明】
【０１１６】
Ａ：遊技媒体自動払出システム、Ｂ：遊技媒体自動払出システム、Ｃ：遊技媒体自動払出システム、Ｄ：遊技媒体自動払出システム、Ｅ：遊技媒体自動払出システム、Ｆ：遊技媒体自動払出システム、Ｇ：遊技媒体自動払出システム、Ｈ：遊技媒体自動払出システム、Ｉ：遊技媒体自動払出システム
１：従業員用記録媒体、２：遊技媒体払出装置、３：管理装置、４：識別情報記録手段、５：遊技機、６：読取手段、７：払出ボタン、８：切替操作手段、９：切替手段、１０：払出手段、１１：表示手段、１２：払出指令手段、１３：計時手段、１４：識別情報記憶手段、１５：認証手段、１６：読取手段、１７：払出数設定手段、２４：上皿、２８：ハンドル、２９：モード制御手段、３２：表示手段
【図１】
2010274127.tif 000003
【図２】
2010274127.tif 000004
【図３】
2010274127.tif 000005
【図４】
2010274127.tif 000006
【図５】
2010274127.tif 000007
【図６】
2010274127.tif 000008
【図７】
2010274127.tif 000009
【図８】
2010274127.tif 000010
【図９】
2010274127.tif 000011
【図１０】
2010274127.tif 000012
【図１１】
2010274127.tif 000013
【図１２】
2010274127.tif 000014
【図１３】
2010274127.tif 000015
【図１４】
2010274127.tif 000016
【図１５】
2010274127.tif 000017
【図１６】
2010274127.tif 000018
【図１７】
2010274127.tif 000019
【図１８】
2010274127.tif 000020
【図１９】
2010274127.tif 000021
【図２０】
2010274127.tif 000022
【図２１】
2010274127.tif 000023
【図２２】
2010274127.tif 000024
【図２３】
2010274127.tif 000025